(57)【要約】【課題】ユーザが優先して考慮したい複数の項目を元にして撮影画質を設定することができるようにする。【解決手段】デジタルカメラは、画質に関わる第１の項目に応じた複数のパラメータと、第１の項目と異なる画質に関わる第２の項目に応じた複数のパラメータとを表示するＴＦＴ液晶ディスプレイ２１と、撮影機能又は画像データの出力の何れかに関わる第３の項目となる用途項目の情報を、第１の項目及び第２の項目に応じたパラメータの組み合わせに適合させて表示する処理と、第３の項目と異なる撮影機能又は画像データの出力の何れかに関わる第４の項目となる用途項目に応じた複数のパラメータを、第１の項目に応じたパラメータ、第２の項目に応じたパラメータ、及び第３の項目の情報の組み合わせに適合させて表示する処理等を行うＣＰＵ１２とを備える。【選択図】図１
2008271244.tif 000002
【特許請求の範囲】
【請求項１】
画質に関わる第１の項目に応じた複数のパラメータを表示すると共に、前記第１の項目と異なる、画質に関わる第２の項目に応じた複数のパラメータを表示する画質情報表示手段と、
撮影機能又は画像データの出力の何れかに関わる第３の項目となる用途項目の情報を、前記第１の項目に応じたパラメータ及び前記第２の項目に応じたパラメータの組み合わせに適合させて表示する第１の用途項目表示手段と、
前記第３の項目と異なる、撮影機能又は画像データの出力の何れかに関わる第４の項目となる用途項目に応じた複数のパラメータを、前記第１の項目に応じたパラメータ、前記第２の項目に応じたパラメータ、及び前記第３の項目の情報の組み合わせに適合させて表示する第２の用途項目表示手段と、
を有することを特徴とする撮像装置。
【請求項２】
各々が撮影機能又は画像データの出力の何れかに関わる複数の用途項目の中から前記第３の項目となる１つの用途項目を選択する用途項目選択手段を更に有する、
ことを特徴とする請求項１記載の撮像装置。
【請求項３】
前記画質情報表示手段に表示された第１の項目に応じたパラメータと第２の項目に応じたパラメータとの組み合わせに適合する、前記選択された用途項目の情報を、前記第１の用途項目表示手段により表示される用途項目の情報として、決定する決定手段を更に有する、
ことを特徴とする請求項２記載の撮像装置。
【請求項４】
前記第１の項目及び第２の項目を選択する画質項目選択手段を更に有する、
ことを特徴とする請求項１記載の撮像装置。
【請求項５】
前記用途項目選択手段が機能している時であっても、前記画質項目選択手段が機能する、
ことを特徴とする請求項４記載の撮像装置。
【請求項６】
前記第１の項目又は第２の項目は、撮影する画像の画素数又は画像データを圧縮処理するときの圧縮率のいずれかである、
ことを特徴とする請求項１記載の撮像装置。
【請求項７】
前記第３の項目は、撮影時の撮影可能枚数、撮影時間間隔、又は連続撮影速度のいずれかであり、
前記第４の項目は、撮影した画像の出力時の出力画像サイズ又は出力画像用途のいずれかである、
ことを特徴とする請求項１記載の撮像装置。
【請求項８】
前記第３の項目は、撮影した画像の出力時の出力画像サイズ又は出力画像用途のいずれかであり、
前記第４の項目は、撮影時の撮影可能枚数、撮影時間間隔、又は連続撮影速度のいずれかである、
ことを特徴とする請求項１記載の撮像装置。
【請求項９】
前記画質情報表示手段は前記第１の項目に応じた複数のパラメータと前記第２の項目に応じた複数のパラメータを画質順に表示する、或いは／且つ、前記第１の用途項目表示手段は前記第３の項目となる用途項目の情報を昇順又は降順に表示する、
ことを特徴とする請求項１記載の撮像装置。
【請求項１０】
前記決定手段により決定された用途項目の情報の中から１つの部分情報を選択する情報選択手段を更に有し、
前記第１の用途項目表示手段は、前記第３の項目となる用途項目の情報を表示する際に、当該情報の中で、前記情報選択手段により選択された部分情報を識別可能に表示する、
ことを特徴とする請求項３記載の撮像装置。
【請求項１１】
前記情報選択手段により選択された部分情報に対応する、前記第１の項目のパラメータ及び前記第２のパラメータの組み合わせを、画質設定として設定する画質設定手段を更に有する、
ことを特徴とする請求項１０記載の撮像装置。
【請求項１２】
前記用途項目選択手段による用途項目の選択により、選択前後で第３の項目となる用途項目が変更された場合、前記第１の用途項目表示手段は、変更後の第３の項目となる用途項目の情報を表示する際に、変更前に前記情報選択手段により選択されていた部分情報に対応する前記第１の項目のパラメータ及び前記第２の項目のパラメータの組み合わせに対応する、変更後の第３の項目となる用途項目の情報における部分情報を識別可能に表示する、
ことを特徴とする請求項１０記載の撮像装置。
【請求項１３】
前記画質設定手段による設定の後の撮影待機時に、前記情報選択手段により選択されている部分情報を表示する、
ことを特徴とする請求項１１記載の撮像装置。
【請求項１４】
前記画質設定手段による設定の後の撮影待機時に、前記情報選択手段により選択されている部分情報を、設定されている露出情報、又は／及び、撮影モード情報と共に表示する、
ことを特徴とする請求項１１記載の撮像装置。
【請求項１５】
撮影機能又は画像データの出力の何れかに関わる第１の項目に応じた複数のパラメータを表示すると共に、前記第１の項目と異なる、撮影機能又は画像データの出力の何れかに関わる第２の項目に応じた複数のパラメータを表示する用途情報表示手段と、
画質に関わる第３の項目となる画質項目の情報を、前記第１の項目に応じたパラメータ及び前記第２の項目に応じたパラメータの組み合わせに適合させて表示する第１の画質項目表示手段と、
前記第３の項目と異なる、画質に関わる第４の項目となる画質項目に応じた複数のパラメータを、前記第１の項目に応じたパラメータ、前記第２の項目に応じたパラメータ、及び前記第３の項目の情報の組み合わせに適合させて表示する第２の画質項目表示手段と、
を有することを特徴とする撮像装置。
【請求項１６】
画質に関わる第１の項目に応じた複数のパラメータを表示すると共に、前記第１の項目と異なる、画質に関わる第２の項目に応じた複数のパラメータを表示し、
前記第１の項目に応じた複数のパラメータと前記第２の項目に応じた複数のパラメータと共に、撮影機能又は画像データの出力の何れかに関わる第３の項目となる用途項目の情報を、前記第１の項目に応じたパラメータ及び前記第２の項目に応じたパラメータの組み合わせに適合させて表示し、
前記第１の項目に応じた複数のパラメータ、前記第２の項目に応じた複数のパラメータ、及び、前記第３の項目となる用途項目の情報と共に、前記第３の項目と異なる、撮影機能又は画像データの出力の何れかに関わる第４の項目となる用途項目に応じた複数のパラメータを、前記第１の項目に応じたパラメータ、前記第２の項目に応じたパラメータ、及び前記第３の項目の情報の組み合わせに適合させて表示する、
ことを特徴とする撮像装置の表示方法。
【請求項１７】
撮像装置のコンピュータに実行されるプログラムであって、前記コンピュータを、
画質に関わる第１の項目に応じた複数のパラメータを表示すると共に、前記第１の項目と異なる、画質に関わる第２の項目に応じた複数のパラメータを表示する画質情報表示手段、
撮影機能又は画像データの出力の何れかに関わる第３の項目となる用途項目の情報を、前記第１の項目に応じたパラメータ及び前記第２の項目に応じたパラメータの組み合わせに適合させて表示する第１の用途項目表示手段、
前記第３の項目と異なる、撮影機能又は画像データの出力の何れかに関わる第４の項目となる用途項目に応じた複数のパラメータを、前記第１の項目に応じたパラメータ、前記第２の項目に応じたパラメータ、及び前記第３の項目の情報の組み合わせに適合させて表示する第２の用途項目表示手段、
として機能させるためのプログラム。
【発明の詳細な説明】
【技術分野】
【０００１】
本発明は、撮影画質を設定可能な撮像装置、表示方法、及びプログラムに関する。
【背景技術】
【０００２】
近年、デジタルカメラ等の撮像装置においては、ユーザが所望の撮影画質を設定可能なように、撮影する画像の画素数や、画像データを圧縮処理するときの圧縮率などを設定可能に構成したものが多い。また、残り撮影可能枚数を考慮しつつ画素数や圧縮率などを設定可能に構成したものも提案されている。例えば、特許文献１には、画素数及び圧縮率をパラメータとして空き領域にさらに記憶可能な映像枚数を表示可能に構成したデジタルカメラが提案されている。これによれば、ユーザは、記憶可能な映像枚数を考慮しつつ画素数および圧縮率の選択が可能である。
【特許文献１】特開２００６−３１４０２６号公報
【発明の開示】
【発明が解決しようとする課題】
【０００３】
しかしながら、ユーザが画質設定を行うときには、残り撮影可能枚数だけに限らず、例えば残り撮影可能枚数及び連写速度等といった、設定される画質に応じて変化する複数の項目を考慮しつつ画質設定をしたい場合もある。
【０００４】
また、デジタルカメラを有線又は無線でＰＣ（Personal Computer）に接続して撮影する場合、撮影した画像はＰＣに直接保存されるので、残り撮影可能枚数は実質無制限になる。よって、このような場合には、残り撮影可能枚数を考慮する必要はなく、例えば連写速度や、撮影画像をＰＣへ転送する時間で決定される撮影時間間隔などを考慮することの方が重要になってくる。
【０００５】
さらに、ユーザは、例えばプリントサイズ等を含む、画素数や圧縮率よりも優先する複数の項目を元に画質設定をしたい場合もある。
本発明は、上記実情に鑑み、ユーザが優先して考慮したい複数の項目を元にして撮影画質を設定することができる、撮像装置、表示方法、及びプログラムを提供することを目的とする。
【課題を解決するための手段】
【０００６】
上記目的を達成するため、本発明の第１の態様に係る撮像装置は、画質に関わる第１の項目に応じた複数のパラメータを表示すると共に、前記第１の項目と異なる、画質に関わる第２の項目に応じた複数のパラメータを表示する画質情報表示手段と、撮影機能又は画像データの出力の何れかに関わる第３の項目となる用途項目の情報を、前記第１の項目に応じたパラメータ及び前記第２の項目に応じたパラメータの組み合わせに適合させて表示する第１の用途項目表示手段と、前記第３の項目と異なる、撮影機能又は画像データの出力の何れかに関わる第４の項目となる用途項目に応じた複数のパラメータを、前記第１の項目に応じたパラメータ、前記第２の項目に応じたパラメータ、及び前記第３の項目の情報の組み合わせに適合させて表示する第２の用途項目表示手段と、を有することを特徴とする。
【０００７】
本発明の第２の態様に係る撮像装置は、上記第１の態様において、各々が撮影機能又は画像データの出力の何れかに関わる複数の用途項目の中から前記第３の項目となる１つの用途項目を選択する用途項目選択手段を更に有する、ことを特徴とする。
【０００８】
本発明の第３の態様に係る撮像装置は、上記第２の態様において、前記画質情報表示手段に表示された第１の項目に応じたパラメータと第２の項目に応じたパラメータとの組み合わせに適合する、前記選択された用途項目の情報を、前記第１の用途項目表示手段により表示される用途項目の情報として、決定する決定手段を更に有する、ことを特徴とする。
【０００９】
本発明の第４の態様に係る撮像装置は、上記第１の態様において、前記第１の項目及び第２の項目を選択する画質項目選択手段を更に有する、ことを特徴とする。
本発明の第５の態様に係る撮像装置は、上記第４の態様において、前記用途項目選択手段が機能している時であっても、前記画質項目選択手段が機能する、ことを特徴とする。
【００１０】
本発明の第６の態様に係る撮像装置は、上記第１の態様において、前記第１の項目又は第２の項目は、撮影する画像の画素数又は画像データを圧縮処理するときの圧縮率のいずれかである、ことを特徴とする。
【００１１】
本発明の第７の態様に係る撮像装置は、上記第１の態様において、前記第３の項目は、撮影時の撮影可能枚数、撮影時間間隔、又は連続撮影速度のいずれかであり、前記第４の項目は、撮影した画像の出力時の出力画像サイズ又は出力画像用途のいずれかである、ことを特徴とする。
【００１２】
本発明の第８の態様に係る撮像装置は、上記第１の態様において、前記第３の項目は、撮影した画像の出力時の出力画像サイズ又は出力画像用途のいずれかであり、前記第４の項目は、撮影時の撮影可能枚数、撮影時間間隔、又は連続撮影速度のいずれかである、ことを特徴とする。
【００１３】
本発明の第９の態様に係る撮像装置は、上記第１の態様において、前記画質情報表示手段は前記第１の項目に応じた複数のパラメータと前記第２の項目に応じた複数のパラメータを画質順に表示する、或いは／且つ、前記第１の用途項目表示手段は前記第３の項目となる用途項目の情報を昇順又は降順に表示する、ことを特徴とする。
【００１４】
本発明の第１０の態様に係る撮像装置は、上記第３の態様において、前記決定手段により決定された用途項目の情報の中から１つの部分情報を選択する情報選択手段を更に有し、前記第１の用途項目表示手段は、前記第３の項目となる用途項目の情報を表示する際に、当該情報の中で、前記情報選択手段により選択された部分情報を識別可能に表示する、ことを特徴とする。
【００１５】
本発明の第１１の態様に係る撮像装置は、上記第１０の態様において、前記情報選択手段により選択された部分情報に対応する、前記第１の項目のパラメータ及び前記第２のパラメータの組み合わせを、画質設定として設定する画質設定手段を更に有する、ことを特徴とする。
【００１６】
本発明の第１２の態様に係る撮像装置は、上記第１０の態様において、前記用途項目選択手段による用途項目の選択により、選択前後で第３の項目となる用途項目が変更された場合、前記第１の用途項目表示手段は、変更後の第３の項目となる用途項目の情報を表示する際に、変更前に前記情報選択手段により選択されていた部分情報に対応する前記第１の項目のパラメータ及び前記第２の項目のパラメータの組み合わせに対応する、変更後の第３の項目となる用途項目の情報における部分情報を識別可能に表示する、ことを特徴とする。
【００１７】
本発明の第１３の態様に係る撮像装置は、上記第１１の態様において、前記画質設定手段による設定の後の撮影待機時に、前記情報選択手段により選択されている部分情報を表示する、ことを特徴とする。
【００１８】
本発明の第１４の態様に係る撮像装置は、上記第１１の態様において、前記画質設定手段による設定の後の撮影待機時に、前記情報選択手段により選択されている部分情報を、設定されている露出情報、又は／及び、撮影モード情報と共に表示する、ことを特徴とする。
【００１９】
本発明の第１５の態様に係る撮像装置は、撮影機能又は画像データの出力の何れかに関わる第１の項目に応じた複数のパラメータを表示すると共に、前記第１の項目と異なる、撮影機能又は画像データの出力の何れかに関わる第２の項目に応じた複数のパラメータを表示する用途情報表示手段と、画質に関わる第３の項目となる画質項目の情報を、前記第１の項目に応じたパラメータ及び前記第２の項目に応じたパラメータの組み合わせに適合させて表示する第１の画質項目表示手段と、前記第３の項目と異なる、画質に関わる第４の項目となる画質項目に応じた複数のパラメータを、前記第１の項目に応じたパラメータ、前記第２の項目に応じたパラメータ、及び前記第３の項目の情報の組み合わせに適合させて表示する第２の画質項目表示手段と、を有することを特徴とする。
【００２０】
また、本発明は、上記の撮像装置に限らず、撮像装置の表示方法、及び、プログラムとして構成することも可能である。
【発明の効果】
【００２１】
本発明によれば、ユーザは、優先的に考慮したい複数の項目を元にして撮影画質を設定することができるので、より撮影意図に沿った撮影画質を設定することができる。
【発明を実施するための最良の形態】
【００２２】
以下、図面を参照しながら本発明の実施の形態を説明する。
＜第１の実施形態＞
図１は、本発明の第１の実施形態に係る撮像装置であるデジタルカメラの構成図である。
【００２３】
同図において、撮影レンズ１は、被写体像をＣＣＤ（Charge Coupled Devices）２に結像させる働きをする。シャッター３は、撮影レンズ１からの光束を遮断又は通過させる働きをする。絞り４は、撮影レンズ１からの光束が通過する範囲を増減させる働きをする。
【００２４】
ＣＣＤ２は、結像された被写体像をアナログ電気信号に変換する。なお、本実施形態では、撮像素子としてＣＣＤを用いるが、ＣＭＯＳ（Complementary Metal Oxide Semiconductor）などの他の撮像素子を用いることも可能である。
【００２５】
Ａ／Ｄ変換部５は、変換されたアナログ電気信号をデジタル電気信号に変換する。変換されたデジタル電気信号は、ＡＳＩＣ（Application Specific Integrated Circuit）６に入力される。
【００２６】
ＡＳＩＣ６は、前処理部７、ＡＥ（Auto Exposure）／ＡＦ（Auto Focus）／ＡＷＢ（Auto White Balance）処理部８、画像処理部９、ＳＲＡＭ（Static Random Access Memory）１０、ビデオコンバータ１１、ＣＰＵ１２、ストロボコントローラ１３、メカコントローラ１４を有し、各々がバス１５を介して接続されている。また、バス１５には、ＡＳＩＣ６の外部に設けられた、ＵＳＢ（Universal Serial Bus）  Ｉ／Ｆ１６、カードＩ／Ｆ１７、ＦＬＡＳＨ  ＲＯＭ１８、ＳＤＲＡＭ（Synchronous Dynamic Random Access Memory）１９、及びＣＣＤ制御回路２０も接続されている。
【００２７】
前処理部７は、Ａ／Ｄ変換部５により変換されたデジタル電気信号から画像データを生成するために、前処理として、デ・モザイク処理や画素補間等の各種信号処理を行う。前処理部７により生成された画像データは、ＳＤＲＡＭ１９に一時的に格納される。
【００２８】
ＡＥ／ＡＦ／ＡＷＢ処理部８は、自動で露出を調節する処理、自動で焦点を調節する処理、及び、自動でホワイトバランスを調節する処理を行う。
画像処理部９は、例えばＪＰＥＧ（Joint Photographic Experts Group）方式等による画像データの圧縮／伸張処理や、画像を構成する画素数を増減させる画像データの拡大／縮小処理（リサイズ処理）や、画像を回転させる画像データの回転処理等といった各種の画像処理を行う。
【００２９】
ＳＲＡＭ１０は、画像処理部９による特定の画像処理（例えば回転処理等）が行われる画像データ等の一時保存用として使用される。
ビデオコンバータ１１は、画像データをビデオ信号に変換する。ＴＦＴ（Thin Film Transistor）液晶ディスプレイ２１は、そのビデオ信号に応じた画像を表示する。また、ビデオ出力端子２２に外部表示装置が接続されている場合には、そのビデオ信号に応じた画像を外部表示装置に表示させることも可能である。
【００３０】
ＵＳＢ  Ｉ／Ｆ１６は、外部機器との間でＵＳＢによるデータの送受を可能にするためのＩ／Ｆである。カードＩ／Ｆ１７は、装着されているメモリカード２３に対し画像データ等の読み出し及び書き込みを可能にするためのＩ／Ｆである。なお、メモリカード２３は、例えばｘＤ−ピクチャーカード（登録商標）やコンパクトフラッシュ（登録商標）カードなどである。
【００３１】
ＣＰＵ１２は、ＦＬＡＳＨ  ＲＯＭ１８に記憶されているカメラプログラムを読み出し実行することによって当該デジタルカメラ全体の動作を制御する。ＦＬＡＳＨ  ＲＯＭ１８は、そのカメラプログラムの他、後述の画質設定画面を表示する際に参照される各種のデータテーブル等も記憶している。
【００３２】
ＳＤＲＡＭ１９は、前処理部７により生成された画像データや、画像処理部９による画像処理が行われた画像データ等の一時保存用として使用される。
ストロボコントローラ１３は、ストロボ２５を制御するための制御信号を生成する。ストロボ制御回路２４は、その制御信号に応じてストロボ２５を制御する。
【００３３】
メカコントローラ１４は、撮影レンズ１、シャッター３、絞り４を制御するための制御信号を生成する。レンズ／シャッター／絞り制御回路は、その制御信号に応じて撮影レンズ１、シャッター３、絞り４を制御する。
【００３４】
ＣＣＤ制御回路２０は、ＣＣＤ２とＡ／Ｄ変換部５を制御する。
ＣＩＳＣ（Complex Instruction Set Computer）２７は、ＣＰＵ１２の制御の下に、スイッチ群２８のオンオフ状態を検出しその検出結果をＣＰＵ１２に通知する処理や、必要に応じてＬＥＤ群２９の各ＬＥＤを点灯又は消灯する処理などを行う。
【００３５】
なお、スイッチ群２８は、後述の電源ボタン、レリーズボタン、切替ボタン、メニューボタン、キャンセルボタン、十字ボタン、及びＯＫボタン等の各種ボタンの押下に応じて対応するスイッチがＯＮするスイッチ群である。但し、レリーズボタンに対応するスイッチについては、レリーズボタンが２段式のボタンになっていることから、１段目までの押下（以下「ファーストレリーズ」という）に応じてＯＮするスイッチと２段目までの押下（以下「セカンドレリーズ」という）に応じてＯＮするスイッチとが設けられている。
【００３６】
電源回路３０は、ＡＣ端子３１に接続された外部のＡＣ電源から供給される電力や、装填されている電池３２から供給される電力を、所定の電力に変換して、当該デジタルカメラの各部へ供給する。
【００３７】
図２(a),(b),(c),(d) 及び図３(a),(b),(c),(d) は、ＦＬＡＳＨ  ＲＯＭ１８に記憶されているデータテーブルの一例を示す図である。
図２(a) は後述の画質設定画面における縦軸項目になり得る項目のデータからなるデータテーブル（以下「縦軸項目テーブル」という）を示す図、同図(b) はその画質設定画面における横軸項目になり得る項目のデータからなるデータテーブル（以下「横軸項目テーブル」という）を示す図、同図(c) はその画質設定画面における斜軸項目になり得る項目のデータからなるデータテーブル（以下「斜軸項目テーブル」という）を示す図、同図(d) はその画質設定画面における中身項目になり得る項目のデータ等からなるデータテーブル（以下「中身項目テーブル」という）を示す図である。
【００３８】
なお、縦軸項目になり得る項目は、画質、撮影機能、又は画像データの出力に関わる第１の項目の一例である。また、横軸項目になり得る項目は、画質、撮影機能、又は画像データの出力に関わる第２の項目の一例である。また、中身項目になり得る項目は、画質、撮影機能、又は画像データの出力に関わる第３の項目の一例である。また、斜軸身項目になり得る項目は、画質、撮影機能、又は画像データの出力に関わる第４の項目の一例である。
【００３９】
図２(a),(b) に示した縦軸項目テーブル及び横軸項目テーブルにおいて、項目「画素数」は撮影する画像の画素数を表し、項目「圧縮率」は画像データを圧縮処理するときの圧縮率を表し、項目「用途」は撮影した画像の出力時の出力画像用途を表し、項目「連写速度」は撮影時の連続撮影速度を表し、項目「撮影間隔」は撮影時の撮影時間間隔を表し、項目「ファイルサイズ」は撮影した画像の出力時の出力画像サイズ（容量）を表す。
【００４０】
また、同図(c) に示した斜軸項目テーブルにおいて、項目「撮影可能枚数」は撮影時の残り撮影可能枚数を表す。その他の項目「画素数」、「圧縮率」、「用途」、「連写速度」、「撮影間隔」、及び「ファイルサイズ」については上述のとおりである。
【００４１】
また、同図(d) に示した中身項目テーブルにおいて、項目「画素数＆圧縮率」は撮影する画像の画素数と画像データを圧縮処理するときの圧縮率を表す。その他の項目「撮影可能枚数」、「連写速度」、「撮影間隔」、及び「ファイルサイズ」については上述のとおりである。
【００４２】
また、中身項目テーブルにおいては、同図(d) に示したように、各中身項目のデータの他に、各中身項目の情報（パラメータ）を計算又はデータテーブルの参照のいずれにより求めるかを指定するデータも含まれる。例えば、中身項目テーブルの１行目のデータは、中身項目「撮影可能枚数」の情報を「計算」により求めることを示している。また、中身項目テーブルの５行目のデータは、中身項目「画素数＆圧縮率」の情報を「テーブル」、すなわちデータテーブルの参照により求めることを示している。
【００４３】
ここで、「撮影可能枚数」、「連写速度」、「撮影間隔」、及び「ファイルサイズ」の各中身項目の情報を計算により求める場合、計算式は下記式（１）〜（４）を用いる。
中身項目「撮影可能枚数」の情報を求める場合、
計算式：Ａ＝Ｂ÷Ｃ      （１）、
を用いる。但し、Ａは撮影可能枚数（枚）、Ｂは記録先記録媒体（例えばメモリカード２３）の記録可能容量（バイト）、Ｃは１コマ当たりの容量（バイト）である。
【００４４】
中身項目「連写速度」の情報を求める場合、
計算式：Ｄ＝Ｅ÷Ｃ      （２）、
を用いる。但し、Ｄは連写速度（コマ／秒）、Ｅは記録速度（バイト／秒）、Ｃは前述のとおりである。
【００４５】
中身項目「撮影間隔」の情報を求める場合、
計算式：Ｆ＝Ｃ÷Ｅ      （３）、
を用いる。但し、Ｆは撮影間隔（秒）、ＣとＥは前述のとおりである。
【００４６】
中身項目「ファイルサイズ」の情報を求める場合、
計算式：Ｇ＝Ｈ×Ｉ×Ｊ      （４）、
を用いる。但し、Ｇはファイルサイズ（バイト）、Ｈは画素数（画素）、Ｉは圧縮率、Ｊは補正係数である。
【００４７】
また、中身項目「画素数＆圧縮率」の情報をデータテーブルの参照により求める場合、後述の図３(a) 及び(b) に示すデータテーブルが参照される。
図３(a) は縦軸項目、横軸項目、又は斜軸項目である「画素数」の内容（パラメータ）のデータからなるデータテーブルを示す図、同図(b) は縦軸項目、横軸項目、又は斜軸項目である「圧縮率」の内容（パラメータ）のデータからなるデータテーブルを示す図、同図(c) は縦軸項目、横軸項目、又は斜軸項目である「用途」の内容（パラメータ）のデータからなるデータテーブルを示す図、同図(d) は縦軸項目、横軸項目、又は斜軸項目である「連写速度」の内容（パラメータ）のデータからなるデータテーブルを示す図、同図(e) は縦軸項目、横軸項目、又は斜軸項目である「撮影間隔」の内容（パラメータ）のデータからなるデータテーブルを示す図、同図(f) は縦軸項目、横軸項目、又は斜軸項目である「ファイルサイズ」の内容（パラメータ）のデータからなるデータテーブルを示す図である。また、不図示ではあるが、斜軸項目である「撮影可能枚数」の内容（パラメータ）のデータからなるデータテーブルもＦＬＡＳＨ  ＲＯＭ１８に記憶されている。
【００４８】
なお、図３(c) に示した項目「用途」の内容のデータテーブルにおいて、「Ａ３」、「Ａ４」、及び「ハガキ／メール」は、出力画像用途がＡ３印刷、Ａ４印刷、及びハガキ印刷／メール添付を表している。また、図３(f) に示した項目「ファイルサイズ」の内容のデータテーブルにおいて、「２００ｋＢ」、「６００ｋＢ」、及び「１．６ＭＢ」の各々は、出力画像サイズがそのサイズ以下であってそのサイズに最も近いサイズであることを表す。例えば、「６００ｋＢ」は、出力画像サイズが６００ｋＢ以下であって６００ｋＢに最も近いサイズであることを表す。
【００４９】
図４は、本実施形態に係るデジタルカメラの背面図である。
同図に示したように、カメラ背面には、上述のＴＦＴ液晶ディスプレイ２１、切替ボタン４１、キャンセルボタン４２、メニューボタン４３、上ボタン４４ａ、右ボタン４４ｂ、下ボタン４４ｃ、左ボタン４４ｄ、及びＯＫボタン４５等が設けられている。なお、上ボタン４４ａ、右ボタン４４ｂ、下ボタン４４ｃ、及び左ボタン４４ｄを、総称して十字ボタン４４という。
【００５０】
切替ボタン４１は、後述の画質設定画面の中身項目及びその情報の切替指示に使用されるボタンである。キャンセルボタン４２は、キャンセル指示に使用されるボタンである。メニューボタン４３は、各種の設定が可能になるメニュー画面の表示指示等に使用されるボタンである。十字ボタン４４は、カーソルの移動指示等に使用されるボタンである。ＯＫボタン４５は、選択項目の確定指示に使用されるボタンである。
【００５１】
また、カメラ上面には、上述の電源ボタン４６とレリーズボタン４７等が設けられている。電源ボタン４６は、電源のＯＮ又はＯＦＦ指示に使用されるボタンである。レリーズボタン４７は、ＡＦやＡＥ等を行わせる撮影準備指示と撮影開始指示に使用されるボタンである。レリーズボタン４７のファーストレリーズにより撮影準備指示が可能であり、そのセカンドレリーズにより撮影開始指示が可能である。
【００５２】
次に、本実施形態に係るデジタルカメラの動作として、ユーザが撮影画質を設定する際に行われる動作を、図５乃至図１４を用いて詳細に説明する。
図５及び図６は、その動作例を示すフローチャートである。図７乃至１４は、その動作中にＴＦＴ液晶ディスプレイ２１に表示される画面例を示す図である。本動作の説明では、図５及び図６のフローチャートを中心に、必要に応じて図７乃至１４の画面例を参照しながら説明する。
【００５３】
図５に示したように、本動作では、まずデジタルカメラがパワーオフ状態であるときに（Ｓ１）、電源ボタン４６が押下されると（Ｓ２）、デジタルカメラを撮影可能状態にするための初期化処理を含むパワーオン処理を行い（Ｓ３）、さらに、後述の画質設定画面における縦軸項目、横軸項目、斜軸項目、及び中身項目として「画素数」、「圧縮率」、「用途」、及び「撮影可能枚数」を初期設定し（Ｓ４）、撮影待機状態に移行する（Ｓ５）。撮影待機状態では、ＴＦＴ液晶ディスプレイ２１に撮影待機画面が表示される。
【００５４】
図７は、撮影待機画面の一例を示す図である。同図に示したように、撮影待機画面には、現在のカメラの状態等が表示される。同図に示した画面例には、設定されているシャッタースピード、絞り値、及び露出補正値が、「１／１０００」、「Ｆ２．８」、及び「＋２．０」であることを示している。なお、このシャッタースピード及び絞り値は、後述のレリーズボタン４７によるファーストレリーズにより、或いは、ＡＦモードとして設定されているコンティニュアスＡＦモードにより設定されたシャッタースピード及び絞り値である。また、この画面例には、撮影する画像の画素数として設定されている値が「２５９２×１９２０」であることを示し、装着されているメモリカード２３が「[ｘＤ]」（ｘＤ−ピクチャーカード（登録商標））であることを示し、現在の設定における残り撮影可能枚数が「１０」枚であることを示している。また、アイコン５１により現在の電池３２の残量状態を示し、アイコン５２により撮影シーンモードとして風景モードが設定されていることを示し、アイコン５３によりセルフタイマーが設定されていることを示し、アイコン５４によりストロボ発光が禁止されていることを示し、アイコン５５によりマクロモードとしてスーパーマクロモードが設定されていることを示している。
【００５５】
このような撮影待機画面が表示されている撮影待機状態において、スイッチ入力（ボタン操作）を検出すると（図５のＳ６）、そのスイッチ入力がいずれのスイッチによるものかを判別する（Ｓ７）。
【００５６】
Ｓ７の判別結果がレリーズボタン４７のスイッチである場合には、撮影処理を行い（Ｓ８）、Ｓ５へ戻る。なお、撮影処理では、レリーズボタン４７のファーストレリーズによるスイッチ入力に応じて、ＡＦやＡＥ等の処理を行ってシャッタースピードや絞り値等を設定し、その後、セカンドレリーズによるスイッチ入力に応じて、現在の設定（シャッタースピード、絞り値、画質設定等）に基づいて実際に画像の撮影を行いその画像データをメモリカード２３に記録する処理を行う。但し、ファーストレリーズによるスイッチ入力が有った後、セカンドレリーズによるスイッチ入力が無かった場合には、その後の処理を行わずに、Ｓ５へ戻る。
【００５７】
Ｓ７の判別結果が電源ボタン４６のスイッチである場合には、所定のパワーオフ処理を行って（Ｓ９）、本フローが終了する。
Ｓ７の判別結果がメニューボタン４３のスイッチである場合には、ＴＦＴ液晶ディスプレイ２１にメニュー画面を表示する（Ｓ１０）。メニュー画面では、撮影画質を含む各種の設定が可能である。
【００５８】
図８は、メニュー画面の一例を示す図である。同図に示したように、メニュー画面には、設定項目毎に、現在の設定内容が表示される。同図の画面例では、例えば「画質」（撮影画質）として、撮影する画像の画素数が「２５９２×１９２０」に設定され、画像データを圧縮処理するときの圧縮率が「１／８」に設定されていることを示している。また、メニュー画面には、この他にも、撮影待機画面に表示されていた、シャッタースピード、絞り値、及び露出補正値と、現在の電池３２の残量状態を示すアイコン（同図の例ではアイコン５１）及び設定されている撮影シーンモードを示すアイコン（同図の例ではアイコン５２）も併せて表示される。また、メニュー画面において、強調表示されている部分（同図の例では「フラッシュ  発光禁止」）は、当該画面上で選択されている部分を示す。本実施形態では、このような強調表示をカーソルとして取り扱って処理を行っている。従って、以下においてカーソルの移動と言ったときには、強調表示される部分の移動を指し、カーソル位置と言ったときには、強調表示されている部分を指すものとする。但し、このような強調表示に限らず、枠を設けたりする等して、その他の手段をカーソルとして取り扱って処理を行うことも可能である。
【００５９】
このようなメニュー画面が表示されているときに、スイッチ入力（ボタン操作）を検出すると（図５のＳ１１）、そのスイッチ入力がいずれのスイッチによるものかを判別する（Ｓ１２）。
【００６０】
Ｓ１２の判別結果がキャンセルボタン４２のスイッチである場合には、メニューキャンセル処理を行い（Ｓ１３）、Ｓ５へ戻って撮影待機状態に戻る。
Ｓ１２の判別結果が十字ボタン４４の上ボタン４４ａ又は下ボタン４４ｃのスイッチである場合には、そのスイッチに応じてカーソル（強調表示する部分の位置）を移動し（Ｓ１４）、Ｓ１０へ戻る。例えば下ボタン４４ｃのスイッチであった場合には、カーソルを下方向に移動する。
【００６１】
図９は、カーソルが移動した後のメニュー画面の一例を示す図である。同図に示した画面例は、図８に示したメニュー画面の状態から下ボタン４４ｃが２回押下された後に表示されたメニュー画面である。カーソルの位置が「フラッシュ  発光禁止」から「画質  ２５９２×１９２０  １／８」へ変更されている。なお、本実施形態に係るメニュー画面では、設定項目を４つ毎に表示するものであり、マーク５６が表示されている場合には、最下段の設定項目にカーソルがあるときに下ボタン４４ｃを押下することにより次の４つの設定項目を表示することが可能である。また、最上段の設定項目の上部分に同様のマーク（不図示）が表示されている場合には、最上段の設定項目にカーソルがあるときに上ボタン４４ｃを押下することにより前の４つの設定項目を表示することが可能である。
【００６２】
図５において、Ｓ１２の判別結果がＯＫボタン４５のスイッチである場合には、カーソル位置の設定項目を判別する（Ｓ１５）。
Ｓ１５の判別結果が「画質」以外である場合（例えば図８に示したメニュー画面においてＯＫボタン４５が押下された場合等）には、カーソル位置の設定項目に応じたメニュー処理を行い（Ｓ１６）、Ｓ１０へ戻る。
【００６３】
Ｓ１５の判別結果が「画質」である場合（例えば図９に示したメニュー画面においてＯＫボタン４５が押下された場合）には、後述の図６に示した、画質設定画面を表示する処理へ移行する。
【００６４】
なお、Ｓ７の判別結果がその他のボタンのスイッチである場合には、そのスイッチに応じた処理を行い（Ｓ１７）、Ｓ５へ戻る。
図６は、前述のＳ１５の判別結果が「画質」であった場合に行われる、画質設定画面を表示する処理を示すフローチャートである。
【００６５】
同図に示したように、この処理では、まず、設定されている縦軸項目を図２(a) に示した縦軸項目テーブルから選択し（Ｓ２１）、選択した縦軸項目の内容を図３(a) 乃至(f) に示したデータテーブルのいずれかから取得する（Ｓ２２）。例えば、設定されている縦軸項目がＳ４での初期設定のままであった場合には、縦軸項目テーブルから縦軸項目「画素数」を選択し、図３(a) に示したデータテーブルから、その内容を取得する。
【００６６】
続いて、設定されている横軸項目を図２(b) に示した横軸項目テーブルから選択し（Ｓ２３）、選択した横軸項目の内容を図３(a) 乃至(f) に示したデータテーブルのいずれかから取得する（Ｓ２４）。例えば、設定されている横軸項目がＳ４での初期設定のままであった場合には、横軸項目テーブルから横軸項目「圧縮率」を選択し、図３(b) に示したデータテーブルから、その内容を取得する。
【００６７】
続いて、設定されている横軸項目を図２(c) に示した斜軸項目テーブルから選択し（Ｓ２５）、選択した横軸項目の内容を図３(a) 乃至(f) 等に示したデータテーブルのいずれかから取得する（Ｓ２６）。例えば、設定されている斜軸項目がＳ４での初期設定のままであった場合には、斜軸項目テーブルから斜軸項目「用途」を選択し、図３(c) に示したデータテーブルから、その内容を取得する。
【００６８】
続いて、設定されている中身項目を図２(d) に示した中身項目テーブルから選択し（Ｓ２７）、さらに、その中身項目の情報を計算又はデータテーブルの参照のいずれにより求めるかを指定するデータから、選択した中身項目の情報をいずれにより求めるかを判定する（Ｓ２８）。そして、Ｓ２８の判定結果に応じて、選択した中身項目の情報を、縦軸項目の内容と横軸項目の内容との組み合わせから計算により求める（Ｓ２９）、或いは、図３(a) 及び(b) に示したデータテーブルの参照により求める（Ｓ３０）。例えば、設定されている縦軸項目、横軸項目、斜軸項目、及び中身項目がＳ４での初期設定のままであった場合には、中身項目「撮影可能枚数」を選択し、上述の式（１）を用いて計算により、縦軸項目「画素数」の内容に含まれるパラメータと横軸項目「圧縮率」の内容に含まれるパラメータとの各組み合わせに適合する中身項目「撮影可能枚数」の情報を取得する。
【００６９】
このようにして、縦軸項目とその内容、横軸項目とその内容、斜軸項目とその内容、及び中身項目とその情報が選択、取得されると、それらを基にＴＦＴ液晶ディスプレイ２１に「画質」の設定画面（画質設定画面）を表示する（Ｓ３１）。
【００７０】
図１０は、画質設定画面の一例を示す図である。同図に示したように、画質設定画面には、Ｓ２１乃至３０で選択、取得された、縦軸項目とその内容、横軸項目とその内容、斜軸項目の内容、及び中身項目とその情報が表示される。但し、この場合、画面左側部分には、縦軸方向（上下方向）に沿って上から順に、まず縦軸項目が配置され、その次に縦軸項目の内容が画質順に配置されて表示される。また、画面下側部分には、横軸方向（左右方向）に沿って左から順に、まず横軸項目が配置され、その次に横軸項目の内容が画質順に配置されて表示される。さらに、配置された縦軸項目のパラメータと横軸項目のパラメータとの各組み合わせに適合する中身項目の情報がマトリクス状に昇順又は降順に配置されると共に、その上部分に中身項目が配置されて表示される。また、表示された中身項目の情報は、斜軸項目の内容の各パラメータに対応して領域分けされて表示されると共に、その領域分けされた情報とパラメータとの対応付けを認識可能なように斜軸項目の各パラメータが配置されて表示される。すなわち、斜軸項目の各パラメータが、縦軸項目のパラメータ、横軸項目のパラメータ、及び中身項目の情報の組み合わせに適合して表示される。
【００７１】
同図に示した画面例は、設定されている縦軸項目、横軸項目、斜軸項目、及び中身項目が、Ｓ４での初期設定のままであった場合に表示された画質設定画面である。従って、画面左側部分には、縦軸方向に沿って上から順に、まず縦軸項目「画素数」が配置され、その次に縦軸項目の内容が「２５９２×１９２０」、「１２８０×９６０」、「６４０×４８０」の画質順に配置されて表示される。また、画面下側部分には、横軸方向に沿って左から順に、まず横軸項目「圧縮率」が配置され、その次に横軸項目の内容が「１／２．７」、「１／８」、「１／１２」の画質順に配置されて表示される。さらに、配置された縦軸項目のパラメータと横軸項目のパラメータとの各組み合わせに適合する中身項目の情報がマトリクス状に順に配置されると共に、その上部分に中身項目「撮影可能枚数」が配置されて表示される。また、中身項目「撮影可能枚数」の情報は、画面中に表示された斜め点線により、斜軸項目「用途」の内容の各パラメータに対応して領域分けされて表示されると共に、その領域分けされた情報とパラメータとの対応付けを認識可能なように斜軸項目「用途」の各パラメータが配置されて表示される。このような表示により、ユーザは、「画素数」と「圧縮率」と「撮影可能枚数」と「用途」の関係を確認することができ、画質の設定として、「撮影可能枚数」と「用途」という２つの項目を考慮しつつ「画素数」と「圧縮率」の設定が可能になる。
【００７２】
なお、本画面例では、画面中に表示した斜め点線により、中身項目の情報の領域分けを行っているが、例えば色分けなど、他の手段により領域分けを行うことも可能である。
また、画質設定画面に表示されている中身項目の情報においては、現在設定されている縦軸項目のパラメータと横軸項目のパラメータとの組み合わせに適合する部分情報、又は後述のＳ３３により当該画面上で選択されている部分情報が他と識別可能なように強調表示される。なお、本実施形態では、上述のとおり、このような強調表示をカーソルとして取り扱って処理が行われる。また、カーソル位置の部分情報の周辺には、カーソルの移動可能方向を示すマークも表示される。
【００７３】
同図に示した画面例は、図９に示した状態のメニュー画面においてＯＫボタン４５が押下された直後に表示された画質設定画面でもある。従って、現在の「画質」の設定として、「画素数」が「２５９２×１９２０」に設定され「圧縮率」が「１／８」に設定されていることから、その組み合わせに適合する部分情報「１０」の位置がカーソル位置となる。また、カーソル位置の部分情報「１０」の周辺には、カーソルの移動可能方向（左方向、下方向、右方向）を示すマーク５７、５８、５９が表示される。
【００７４】
また、画質設定画面には、この他にも、撮影待機画面に表示されていた、シャッタースピード、絞り値、及び露出補正値と、現在の電池３２の残量状態を示すアイコン（同図の例ではアイコン５１）及び設定されている撮影シーンモードを示すアイコン（同図の例ではアイコン５２）も併せて表示される。
【００７５】
このような画質設定画面が表示されているときに、スイッチ入力（ボタン操作）を検出すると（図６のＳ３２）、そのスイッチ入力がいずれのスイッチによるものかを判別する（Ｓ３３）。
【００７６】
Ｓ３３の判別結果がキャンセルボタン４２のスイッチである場合には、メニューキャンセル処理を行い（Ｓ３４）、図５のＳ５へ戻って撮影待機状態に戻る。
Ｓ３３の判別結果が十字ボタン４４（上ボタン４４ａ、右ボタン４４ｂ、下ボタン４４ｃ、又は左ボタン４４ｄ）のスイッチである場合には、そのスイッチに応じてカーソル（強調表示する部分情報の位置）を移動し（Ｓ３５）、Ｓ３１へ戻る。例えば、図１０に示した画質設定画面において、左ボタン４４ｄが押下された場合には、カーソルが部分情報「５」の位置に移動する。
【００７７】
Ｓ３３の判別結果が切替ボタン４１のスイッチである場合には、設定されている中身項目を他の中身項目に変更する（Ｓ３６）。なお、中身項目の変更は、図２(d) に示した中身項目テーブルに記述されている項目順、すなわち、「撮影可能枚数」→「連写速度」→「撮影間隔」→「ファイルサイズ」→「画素数＆圧縮率」→「撮影可能枚数」…の順に変更される。従って、例えば現在設定されている中身項目が「撮影可能枚数」であるときに切替ボタン４１が押下された場合には、中身項目が次の項目である「連写速度」に変更される。
【００７８】
このようにして、設定されている中身項目が変更されると、Ｓ２７へ戻り、上述と同様に、変更された中身項目が中身項目テーブルから選択され、その中身項目の情報が計算又はデータテーブルの参照により取得され、再び画質設定画面の表示が行われる。これにより、画質設定画面に表示されていた中身項目とその情報が変更される。なお、変更後の中身項目の情報におけるカーソル位置は、変更前の中身項目の情報におけるカーソル位置の部分情報に対応する縦軸項目のパラメータと横軸項目のパラメータとの組み合わせに適合する、変更後の中身項目の情報における部分情報の位置となる。
【００７９】
図１１は、図１０に示した画質設定画面が表示されていたときに切替ボタン４１が押下された後に表示された画質設定画面の一例である。この場合は、設定されている中身項目が「撮影可能枚数」から「連写速度」に変更されることから、図１１に示したように、中身項目として「連写速度」が表示され、その情報として、「画素数」のパラメータと「圧縮率」のパラメータとの各組み合わせに適合する「連写速度」の情報がマトリクス状に順に配置されて表示される。また、図１０に示した画質設定画面におけるカーソル位置が部分情報「１０」の位置であったことから、図１１に示した画質設定画面では、その部分情報「１０」に対応する「画素数」が「２５９２×１９２０」と「圧縮率」が「１／８」の組み合わせに適合する「連写速度」の部分情報「２．２」の位置がカーソル位置となる。このような表示により、ユーザは、画質の設定として、「撮影可能枚数」と「用途」の代わりに「連写速度」と「用途」という２つの項目を考慮しつつ「画素数」と「圧縮率」の設定が可能になり、別の視点から画質の設定を行うことができる。
【００８０】
図１２は、さらに、図１１に示した画質設定画面が表示されていたときに切替ボタン４１が押下された後に表示された画質設定画面の一例である。この場合は、設定されている中身項目が「連写速度」から「撮影間隔」に変更されることから、図１２に示したように、中身項目として「撮影間隔」が表示され、その情報として、「画素数」のパラメータと「圧縮率」のパラメータとの各組み合わせに適合する「撮影間隔」の情報がマトリクス状に順に配置されて表示される。また、図１１に示した画質設定画面におけるカーソル位置が部分情報「２．２」の位置であったことから、図１２に示した画質設定画面では、その部分情報「２．２」に対応する「画素数」が「２５９２×１９２０」と「圧縮率」が「１／８」の組み合わせに適合する「撮影間隔」の部分情報「９．６」の位置がカーソル位置となる。このような表示により、ユーザは、画質の設定として、「撮影可能枚数」と「用途」や「連写速度」と「用途」の代わりに「撮影間隔」と「用途」という２つの項目を考慮しつつ「画素数」と「圧縮率」の設定が可能になり、さらに別の視点から画質の設定を行うことができる。
【００８１】
その後、さらに切替ボタン４１が押下されて中身項目が「ファイルサイズ」や「画素数＆圧縮率」に変更されたときにも同様にして処理が行われる。
図６において、Ｓ３３の判別結果がＯＫボタン４５のスイッチである場合には、画質の設定として、現在のカーソル位置の部分情報に対応する縦軸項目のパラメータと横軸項目のパラメータとを設定する（Ｓ３７）。例えば、図１０に示した画質設定画面においてＯＫボタン４５が押下された場合には、カーソル位置の部分情報が「１０」であることから、画質の設定として、その「１０」に対応する、「画素数」が「２５９２×１９２０」と「圧縮率」が「１／８」に設定される。図１１及び図１２に示した画質設定画面においてＯＫボタン４５が押下された場合にも同様である。
【００８２】
このようにして画質の設定が終了すると、ＯＫボタン４５が押下されたときのカーソル位置の部分情報に応じて撮影待機画面の表示を更新する表示更新処理を行い（Ｓ３８）、図５のＳ５へ戻って撮影待機状態へ移行する。これにより、ＴＦＴ液晶ディスプレイ２１には、表示更新処理後の撮影待機画面が表示される。
【００８３】
図１３及び図１４は、表示更新処理後の撮影待機画面の一例を示す図であって、図１３は図１１に示した画質設定画面においてＯＫボタン４５が押下された場合の画面例、図１４は図１２に示した画質設定画面においてＯＫボタン４５が押下された場合の画面例である。
【００８４】
両図に示したように、表示更新処理後の撮影待機画面には、ＯＫボタン４５が押下されたときのカーソル位置の部分情報に応じて、その部分情報が追加表示されると共に、画素数として設定されている値と現在の設定における残り撮影可能枚数とが更新される。但し、元々から撮影待機画面に表示されるようになっている中身項目の部分情報（例えば中身項目「撮影可能枚数」の部分情報など）については、新たに追加表示されることはない。また、画素数として設定されている値と現在の設定における残り撮影可能枚数については、変更がなければ更新されることはない。
【００８５】
図１３に示した画面例では、図１１に示した画質設定画面においてＯＫボタン４５が押下された場合の画面例であることから、カーソル位置の部分情報「２．２」が追加表示される。但し、部分情報「２．２」は、中身項目「連写速度」の部分情報であることから、その単位「ｆｐｓ」（frame per second）と共に「２．２ｆｐｓ」と表示される。これにより、ユーザは、画質設定画面において自分が選択した中身項目「連写速度」の部分情報「２．２」も併せて撮影待機画面上で確認することができる。なお、設定されている画素数及び圧縮率については変更が無いことから、この画面例において、画素数として設定されている値（「２５９２×１９２０」）と現在の設定における残り撮影可能枚数（「１０」）の値に変更はない。
【００８６】
図１４に示した画面例では、図１２に示した画質設定画面においてＯＫボタン４５が押下された場合の画面例であることから、カーソル位置の部分情報「９．６」が追加表示される。但し、部分情報「９．６」は、中身項目「撮影間隔」の部分情報であることから、その単位「ｓｅｃ」と共に「９．６ｓｅｃ」と表示される。これにより、ユーザは、画質設定画面において自分が選択した中身項目「撮影間隔」の部分情報「９．６」も併せて撮影待機画面上で確認することができる。なお、設定されている画素数及び圧縮率については変更が無いことから、この画面例において、画素数として設定されている値（「２５９２×１９２０」）と現在の設定における残り撮影可能枚数（「１０」）の値に変更はない。
【００８７】
以上、本実施形態に係る撮像装置であるデジタルカメラによれば、画質設定として画素数と圧縮率の設定をする際に、ユーザは、「撮影可能枚数」、「連写速度」、「撮影間隔」、「ファイルサイズ」、及び「画素数＆圧縮率」の中から所望の中身項目を選択することによって、画素数のパラメータと圧縮率のパラメータとの各組み合わせに適合する、選択した中身項目の情報を表示させることができると共に、その中身項目の情報を、斜軸項目「用途」の各パラメータに対応して領域分けして表示させることもできる。従って、ユーザは、その中身項目の情報と「用途」の内容とを考慮しつつ画素数と圧縮率の設定を行うことができる。また、優先的に考慮に入れたい中身項目を自由に変更することができるので、ユーザは、状況に応じて、自分の撮影意図に沿った画質設定を容易に行うことができる。
【００８８】
また、撮影待機画面には、設定されているシャッタースピード、絞り値、露出補正値、及び撮影シーンモード等と共に、ユーザが選択した中身項目の部分情報も併せて表示されるので、ユーザは、これらの情報を同一画面上で一度に確認することもできる。
【００８９】
なお、本実施形態に係るデジタルカメラにおいては、後述の第２の実施形態に係るデジタルカメラの構成及び動作を組み合わせることによって、縦軸項目、横軸項目、及び斜軸項目を変更可能に構成することもできる。
＜第２の実施形態＞
本発明の第２の実施形態に係る撮像装置であるデジタルカメラは、第１の実施形態に係るデジタルカメラに対して、切替ボタンが省かれており、その代わりに他の手段によって中身項目の変更ができると共に、縦軸項目、横軸項目、及び斜軸項目の変更もできるように構成されたものである。なお、本実施形態の説明では、第１の実施形態に係るデジタルカメラの構成要素と同一のものについては同一の符号を付して説明する。
【００９０】
本実施形態に係るデジタルカメラの構成は、第１の実施形態に係るデジタルカメラの構成とほぼ同じであるが、図１５に示したように、第１の実施形態に係るデジタルカメラの背面に設けられていた切替ボタン４１（図４参照）が設けられていない点で異なる。
【００９１】
また、本実施形態に係るデジタルカメラの動作も、第１の実施形態に係るデジタルカメラの動作とほぼ同じであるが、ユーザがメニュー画面を表示させて「画質」を選択した後の動作が多少異なる。
【００９２】
図１６及び図１７は、その動作を示すフローチャートである。つまり、本フローは、第１の実施形態において説明した図５のＳ１５の判別結果が「画質」であった場合に開始する図６に示した動作に対応する動作を示している。
【００９３】
図１６及び図１７に示したフローにおいて、図６に示したフローと異なる点は、画質設定画面が表示されているときのスイッチ入力として切替ボタンのスイッチ入力の判別を行わない代わりに、メニューボタン４３のスイッチ入力の判別を行うようにし、メニューボタン４３のスイッチ入力が判別されたときには、縦軸項目、横軸項目、斜軸項目、及び中身項目の変更を可能にするようにした点である。
【００９４】
具体的には、図１６及び図１７において、Ｓ４１乃至５５の処理は図６に示したＳ２１乃至３５の処理と同じである。また、図１６のＳ５３の判別結果がＯＫボタン４５のスイッチである場合に行われるＳ５６及びＳ５７の処理は、図６に示したＳ３７及び３８の処理と同じである。
【００９５】
一方、図１６のＳ５３の判別結果がメニューボタン４３のスイッチである場合には、図１７に示したフローへ進み、まず、ＴＦＴ液晶ディスプレイ２１に項目設定画面を表示する（Ｓ６１）。項目設定画面では、縦軸項目、横軸項目、斜軸項目、及び中身項目の変更が可能である。
【００９６】
図１８は、項目設定画面の一例を示す図である。同図に示したように、項目設定画面には、現在設定されている又は後述のＳ６６で変更された、縦軸項目、横軸項目、斜軸項目、及び中身項目が表示される。同図の画面例では、縦軸項目、横軸項目、斜軸項目、及び中身項目として、「画素数」、「圧縮率」「用途」、及び「撮影可能枚数」が表示されている。また、項目設定画面には、この他にも、撮影待機画面（例えば図７参照）に表示されていた、シャッタースピード、絞り値、及び露出補正値と、現在の電池３２の残量状態を示すアイコン（同図の例ではアイコン５１）及び設定されている撮影シーンモードを示すアイコン（同図の例ではアイコン５２）も併せて表示される。また、項目設定画面において、強調表示されている部分（図１８の例では縦軸項目の「画素数」）は、当該画面上で選択されている部分を示す。なお、本実施形態においても、このような強調表示をカーソルとして取り扱って処理を行うものとする。また、項目設定画面において、カーソル位置の部分の上下には、上ボタン４４ａ又は下ボタン４４ｃの押下により設定を変更可能であることを示すマーク（例えば同図のマーク６１、６２）が表示され、さらに、カーソル位置の部分の左、右、又は左右には、右ボタン４４ｂ又は左ボタン４４ｄの押下によりカーソル位置を移動可能であることを示すマーク（例えば同図のマーク６３）が表示される。
【００９７】
このような項目設定画面が表示されているときに、スイッチ入力（ボタン操作）を検出すると（図１７のＳ６２）、そのスイッチ入力がいずれのスイッチによるものかを判別する（Ｓ６３）。
【００９８】
Ｓ６３の判別結果がキャンセルボタン４２のスイッチである場合には、メニューキャンセル処理を行い（Ｓ６４）、Ｓ４１へ戻る。
Ｓ６３の判別結果が十字ボタン４４の上ボタン４４ａ又は下ボタン４４ｃのスイッチである場合には、そのスイッチに応じて、カーソル位置（強調表示している部分）に表示されている項目を他の項目に変更し（Ｓ６６）、Ｓ６１へ戻る。なお、項目の変更は、図２(a),(b),(c),(d) に示した各テーブルに記述されている項目順に変更される。従って、例えば図１８に示した項目設定画面において下ボタン４４ｃが押下された場合には、図２(a) に示した縦軸項目テーブルに記述されている項目順に従って、縦軸項目が「画素数」から「圧縮率」に変更される。
【００９９】
Ｓ６３の判別結果が十字ボタン４４の右ボタン４４ｂ又は左ボタン４４ｄのスイッチである場合には、そのスイッチに応じて、カーソル（強調表示する部分の位置）を移動し（Ｓ６７）、Ｓ６１へ戻る。例えば図１８に示した項目設定画面において、右ボタン４４ｂが押下された場合には、カーソルが横軸項目の「圧縮率」の位置に移動する。
【０１００】
Ｓ６３の判別結果がＯＫボタン４５のスイッチである場合には、現在の画質設定画面に表示されている縦軸項目、横軸項目、斜軸項目、及び中身項目が各々異なるか否かを判定し（Ｓ８１）、その判定結果がＹｅｓの場合には、それらの項目を設定項目として決定し（Ｓ６５）、Ｓ４１へ戻って再び画質設定画面の表示が行われる。一方、Ｓ８１の判定結果がＮｏの場合には、縦軸項目、横軸項目、斜軸項目、及び中身項目の何れか又は全てが同じである旨の警告表示を行い（Ｓ８２）、所定時間が経過したら（Ｓ８３）、Ｓ６１へ戻る。
【０１０１】
図１９は、図１８に示したような項目設定画面にて、縦軸項目、横軸項目、斜軸項目、及び中身項目の１つ以上が変更された後に表示された画質設定画面の一例を示す図である。
【０１０２】
図１９に示した画面例は、項目設定画面にて、縦軸項目を「画素数」から「用途」へ変更し、横軸項目を「圧縮率」から「撮影間隔」へ変更し、斜軸項目を「用途」から「ファイルサイズ」へ変更し、中身項目は変更せずに「撮影可能枚数」のままとして、ＯＫボタン４５を押下した場合に表示された画質設定画面である。この画面例によれば、ユーザは、画質の設定として、「撮影可能枚数」と「ファイルサイズ」という２つの項目を考慮しつつ「用途」及び「撮影間隔」を設定することができる。
【０１０３】
以上、本実施形態に係る撮像装置であるデジタルカメラによれば、画質設定画面に表示される縦軸項目、横軸項目、斜軸項目、及び中身項目において、中身項目だけでなく縦軸項目、横軸項目、及び斜軸項目をも変更することができるので、ユーザは、より自分の撮影意図に沿って撮影画質を設定することができる。
＜第３の実施形態＞
本発明の第３の実施形態に係る撮像装置であるデジタルカメラは、第２の実施形態に係るデジタルカメラに対して、項目設定画面での項目選択方法が異なって構成されたものである。なお、本実施形態の説明では、第２の実施形態に係るデジタルカメラの構成要素と同一のものについては同一の符号を付して説明する。
【０１０４】
本実施形態に係るデジタルカメラの構成は、第２の実施形態に係るデジタルカメラの構成と同じである。また、その動作は、第２の実施形態に係るデジタルカメラの動作とほぼ同じであるが、ユーザが画質設定画面を表示させたところでメニューボタン４３を押下した後の動作が多少異なる。
【０１０５】
図２０は、その動作を示すフローチャートである。つまり、本フローは、第２の実施形態において説明した図１６のＳ５３のスイッチ判別の結果がメニューボタン４３のスイッチであった場合に開始する図１７に示した動作に対応する動作を示している。
【０１０６】
図２０に示したフローにおいて、図１７に示したフローと異なる点は、縦軸項目、横軸項目、斜軸項目、及び中身項目を個別に変更するのではなく、それらの項目を一度に変更できるようにした点である。
【０１０７】
具体的には、図２０において、まず、ＴＦＴ液晶ディスプレイ２１に項目設定画面を表示する（Ｓ７１）。項目設定画面では、縦軸項目、横軸項目、斜軸項目、及び中身項目を一度に変更することが可能である。
【０１０８】
図２１は、項目設定画面の一例を示す図である。同図に示したように、項目設定画面には、縦軸項目、横軸項目、斜軸項目、及び中身項目の組み合わせを一度に選択可能なように、異なる複数の組み合わせを表示する。同図の画面例では、異なる複数の組み合わせとして、「画素数」、「圧縮率」、「用途」、及び「撮影可能枚数」の組み合わせと、「画素数」、「圧縮率」、「用途」、及び「連写速度」の組み合わせと、「用途」、「撮影間隔」、「ファイルサイズ」、及び「画素数圧縮率」の組み合わせと、「用途」、「連写速度」、「ファイルサイズ」、及び「画素数圧縮率」の組み合わせとが表示されている。また、項目設定画面には、この他にも、第２の実施形態と同様に、撮影待機画面（例えば図７参照）に表示されていた、シャッタースピード、絞り値、及び露出補正値と、現在の電池３２の残量状態を示すアイコン（同図の例ではアイコン５１）及び設定されている撮影シーンモードを示すアイコン（同図の例ではアイコン５２）も併せて表示される。また、項目設定画面において、強調表示されている組み合わせ（図２１の例では「画素数」、「圧縮率」、「用途」、及び「撮影可能枚数」の組み合わせ）は、撮影画質として現在設定されている項目を含む組み合わせ、又は、後述のＳ７６により当該画面上で選択されている組み合わせを示す。なお、本実施形態においても、このような強調表示をカーソルとして取り扱って処理を行うものとする。また、本実施形態に係る項目設定画面では、縦軸項目、横軸項目、斜軸項目、及び中身項目の組み合わせを４つ毎に表示するものであり、マーク７１が表示されている場合には、最下段の組み合わせの部分にカーソルがあるときに下ボタン４４ｃを押下することにより他の４つの組み合わせを表示することが可能である。また、最上段の組み合わせの上部分に同様のマーク（不図示）が表示されている場合には、最上段の組み合わせの部分にカーソルがあるときに上ボタン４４ｃを押下することにより前の４つの組み合わせを表示することが可能である。
【０１０９】
このような項目設定画面が表示されているときに、スイッチ入力（ボタン操作）を検出すると（図２０のＳ７２）、そのスイッチ入力がいずれのスイッチによるものかを判別する（Ｓ７３）。
【０１１０】
Ｓ７３の判別結果がキャンセルボタン４２のスイッチである場合には、メニューキャンセル処理を行い（Ｓ７４）、第２の実施形態で説明した図１６のＳ４１へ戻る。
Ｓ７３の判別結果が十字ボタン４４の上ボタン４４ａ又は下ボタン４４ｃのスイッチである場合には、そのスイッチに応じてカーソル（強調表示する組み合わせの位置）を移動し（Ｓ７６）、Ｓ７１へ戻る。例えば図２１に示した項目設定画面において、下ボタン４４ｃが押下された場合には、カーソルが「画素数」、「圧縮率」、「用途」、及び「連写速度」の組み合わせの位置に移動する。
【０１１１】
Ｓ７３の判別結果がＯＫボタン４５のスイッチである場合には、画質設定画面におけるカーソル位置の縦軸項目、横軸項目、斜軸項目、及び中身項目の組み合わせを設定項目として決定し（Ｓ７５）、第２の実施形態で説明した図１６のＳ４１へ戻って再び画質設定画面の表示が行われる。
【０１１２】
図２２は、図２１に示したような項目設定画面にて、縦軸項目、横軸項目、斜軸項目、及び中身項目の組み合わせが変更された後に表示された画質設定画面の一例を示す図である。
【０１１３】
図２２に示した画面例は、項目設定画面にて、縦軸項目、横軸項目、斜軸項目、及び中身項目の組み合わせとして、「用途」、「撮影間隔」、「ファイルサイズ」、及び「画素数圧縮率」の組み合わせ（例えば図２１に示した上から３段目の組み合わせ参照）に変更されＯＫボタン４５が押下された場合に表示された画質設定画面である。この画面例によれば、ユーザは、撮影画質として「画素数＆圧縮率」と「ファイルサイズ」という２つの項目を考慮しつつ「用途」及び「撮影間隔」を設定することができる。
【０１１４】
以上、本実施形態に係る撮像装置であるデジタルカメラによれば、項目設定画面において、縦軸項目、横軸項目、斜軸項目、及び中身項目を一度に変更することができる。
以上、第１乃至３の実施形態について説明したが、各実施形態で説明した画質設定画面における、縦軸項目とその内容、横軸項目とその内容、及び中身項目とその情報の表示形式は、図１０等に示した表示形式に限らず、例えば縦軸項目及び横軸項目の内容として２つ又は４つ以上のパラメータを表示し、中身項目の情報として２×２又は４×４以上の部分情報を表示するなど、その他の形式で表示することも可能である。もちろん、縦軸項目のパラメータ数と横軸項目のパラメータ数が異なるように表示し、それに応じて、縦軸項目のパラメータ数×横軸項目のパラメータ数の部分情報を表示することも可能である。また、第２及び第３の実施形態で説明した項目設定画面の表示形式についても、図１８や図２１に示した形式に限らず、例えば縦軸項目、横軸項目、斜軸項目、及び中身項目の並び順を入れ替えるなど、その他の形式で表示することも可能である。
【０１１５】
また、各実施形態で説明した画質設定画面では、斜軸項目の内容のパラメータ数を３つとしていたことから、中身項目の情報を３つに領域分けする例を説明したが、例えば斜軸項目の内容のパラメータ数を２つ又は４つ以上としたときには、それに応じて、中身項目の情報を２つ又は４つ以上に領域分けすることも可能である。
【０１１６】
図２３は、中身項目の情報が４つに領域分けされて表示されたときの画質設定画面の一例を示す図である。同図に示した画面例は、斜軸項目「用途」の内容のパラメータが「Ａ３」、「Ａ４」、「ハガキＬ判」、「メール」の４つである場合に表示された画質設定画面である。このように、中身項目の情報を４つに領域分して表示することも可能である。
【０１１７】
以上、本発明について詳細に説明したが、本発明は上記実施形態に限定されず、本発明の要旨を逸脱しない範囲において、各種の改良及び変更を行っても良いのはもちろんである。
【図面の簡単な説明】
【０１１８】
【図１】第１の実施形態に係る撮像装置であるデジタルカメラの構成図である。
【図２】(a),(b),(c),(d) は、ＦＬＡＳＨ  ＲＯＭ１８に記憶されているデータテーブルの一例を示す図である。
【図３】(a),(b),(c),(d) は、ＦＬＡＳＨ  ＲＯＭ１８に記憶されているデータテーブルの一例を示す図である。
【図４】第１の実施形態に係るデジタルカメラの背面図である。
【図５】第１の実施形態に係るデジタルカメラの動作を示すフローチャートである。
【図６】第１の実施形態に係るデジタルカメラの動作を示すフローチャートである。
【図７】第１の実施形態に係る、撮影待機画面の一例を示す図である。
【図８】第１の実施形態に係る、メニュー画面の一例を示す図である。
【図９】第１の実施形態に係る、メニュー画面の一例を示す図である。
【図１０】第１の実施形態に係る、画質設定画面の一例を示す図である。
【図１１】第１の実施形態に係る、画質設定画面の一例を示す図である。
【図１２】第１の実施形態に係る、画質設定画面の一例を示す図である。
【図１３】第１の実施形態に係る、撮影待機画面の一例を示す図である。
【図１４】第１の実施形態に係る、撮影待機画面の一例を示す図である。
【図１５】第２の実施形態に係るデジタルカメラの背面図である。
【図１６】第２の実施形態に係るデジタルカメラの動作を示すフローチャートである。
【図１７】第２の実施形態に係るデジタルカメラの動作を示すフローチャートである。
【図１８】第２の実施形態に係る、項目設定画面の一例を示す図である。
【図１９】第２の実施形態に係る、画質設定画面の一例を示す図である。
【図２０】第３の実施形態に係るデジタルカメラの動作を示すフローチャートである。
【図２１】第３の実施形態に係る、項目設定画面の一例を示す図である。
【図２２】第３の実施形態に係る、画質設定画面の一例を示す図である。
【図２３】画質設定画面の変形例を示す図である。
【符号の説明】
【０１１９】
１      撮影レンズ
２      ＣＣＤ
３      シャッター
４      絞り
５      Ａ／Ｄ変換部
６      ＡＳＩＣ
７      前処理部
８      ＡＥ／ＡＦ／ＡＷＢ処理部
９      画像処理部
１０    ＳＲＡＭ
１１    ビデオコンバータ
１２    ＣＰＵ
１３    ストロボコントローラ
１４    メカコントローラ
１５    バス
１６    ＵＳＢ  Ｉ／Ｆ
１７    カードＩ／Ｆ
１８    ＦＬＡＳＨ  ＲＯＭ
１９    ＳＤＲＡＭ
２０    ＣＣＤ制御回路
２１    ＴＦＴ液晶ディスプレイ
２２    ビデオ出力端子
２３    メモリカード
２４    ストロボ制御回路
２５    ストロボ
２６    レンズ／シャッター／絞り制御回路
２７    ＣＩＳＣ
２８    スイッチ群
２９    ＬＥＤ群
３０    電源回路
３１    ＡＣ端子
３２    電池
４１    切替ボタン
４２    キャンセルボタン
４３    メニューボタン
４４    十字ボタン
４５    ＯＫボタン
４６    電源ボタン
４７    レリーズボタン
５１、５２、５３、５４、５５  アイコン
５６、５７、５８、５９  マーク
６１、６２、６３  マーク
７１    マーク
【図５】
2008271244.tif 000003
【図６】
2008271244.tif 000004
【図１６】
2008271244.tif 000005
【図１７】
2008271244.tif 000006
【図２０】
2008271244.tif 000007
【図１】
2008271244.tif 000008
【図２】
2008271244.tif 000009
【図３】
2008271244.tif 000010
【図４】
2008271244.tif 000011
【図７】
2008271244.tif 000012
【図８】
2008271244.tif 000013
【図９】
2008271244.tif 000014
【図１０】
2008271244.tif 000015
【図１１】
2008271244.tif 000016
【図１２】
2008271244.tif 000017
【図１３】
2008271244.tif 000018
【図１４】
2008271244.tif 000019
【図１５】
2008271244.tif 000020
【図１８】
2008271244.tif 000021
【図１９】
2008271244.tif 000022
【図２１】
2008271244.tif 000023
【図２２】
2008271244.tif 000024
【図２３】
2008271244.tif 000025